(57)【要約】      （修正有）【課題】歯磨きを行った後で舌苔を取る際において、用具の交換および保管に煩わしさの全くない、舌苔除去具付き歯ブラシを提供する。【解決手段】舌の表面と当接して舌苔を掻き取るための円筒形突起６または円筒形突起と円錐形突起５ａ、５ｂまたはスキージ部７と円錐形突起または前記を組み合わせ、各々を一定の割合で配列して形成した舌苔除去具４を、歯ブラシ上部のブラシ３を植毛した台座部２の背面または歯ブラシ下部の柄部１１の側面の何れか一箇所に具備して構成する。【選択図】図１
0003182902.tif 000002
【実用新案登録請求の範囲】
【請求項１】
舌の表面と当接して舌苔を掻き取るための円錐形突起と円筒形突起を、一定の割合で円錐形突起，円筒形突起，円錐形突起の順に配列して形成すると共に、前記配列の上端部に舌苔を除去するためのスキージ部を形成した舌苔除去具を、歯ブラシ上部のブラシを植毛した台座部の背面または歯ブラシ下部の柄部の側面の何れか一箇所に具備して構成することを特徴とした、舌苔除去具付き歯ブラシ。
【請求項２】
円錐形突起，円筒形突起，円錐形突起およびスキージ部を配列した側面両端部に、該側面から見て前記配列がほぼ隠れるような凸型帯形状のガード部を形成することを特徴とした、請求項１に記載の舌苔除去具付き歯ブラシ。
【請求項３】
舌苔除去具を構成する円錐形突起と円筒形突起およびスキージ部はエラストマ樹脂にて形成し、ガード部は前記エラストマ樹脂と一体的に成型またはブラシを植毛した台座部と一体的に成型することを特徴とした、請求項１および請求項２に記載の舌苔除去具付き歯ブラシ。
【考案の詳細な説明】
【技術分野】
【０００１】  本考案は、舌の表面に付着した白色または褐色の皮膜である舌苔を安全且つ容易に除去することができる、舌苔除去具付きの歯ブラシに関するものである。
【背景技術】
【０００２】  人間の舌の表面には、舌乳頭（糸状乳頭、茸状乳頭、有郭乳頭、葉状乳頭）と呼ばれる突起があり、特に有郭乳頭と葉状乳頭を取り巻く深い溝の壁には、味覚器である味蕾が発達している。そして、上皮細胞やリンパ球または食物の残りかすなどによって舌の表面には白色や褐色の皮膜が生じることがあり、該皮膜を舌苔と称している。【０００３】  この舌苔をそのままにしておくと、味覚が消失したり口臭や虫歯の原因となるため、ヘラやブラシなどを使用して除去している。前記ヘラの場合、竹や金属若しくは硬質樹脂で形成されているため、時として強く押え過ぎて舌を傷つけてしまうことがあり、安全性に問題点があった。また、舌の奥深い部分では使用し難いという問題点もあった。このため、本願出願人による実用新案登録第３１２１２９４号公報，実用新案登録第３１６４８７８号公報および実用新案登録第３１８０５５９号公報の何れも考案の名称『舌苔除去具』において、舌の表面と当接して舌苔を掻き取るための円錐形突起または円錐形突起と円筒形突起を多数形成したブラシ部と当該ブラシ部を冠着または挿着すべく先端側裏面または表面にスキージ部を形成したブラシ保持部と首部および柄部にて構成した舌苔除去具を提案した。【０００４】
【特許文献１】実用新案登録第３１２１２９４号
【特許文献２】実用新案登録第３１６４８７８号
【特許文献３】実用新案登録第３１８０５５９号
【考案の開示】
【考案が解決しようとする課題】
【０００５】  上記考案における舌苔除去具は、材質としてエラストマ樹脂を使用し、舌苔を掻き取るブラシ部には円錐形突起または円錐形突起と円筒形突起を複数設けると共に、前記ブラシ部で掻き取った舌苔をスキージ部にて除去することができるものである。【０００６】  しかしながら、上記舌苔除去具は舌苔を除去する機能のみを有するものである。このため、歯磨きを行った後で舌苔を取る際には、歯ブラシに代えて当該舌苔除去具を使用することになり、用具の交換および保管に煩わしさがあった。【０００７】  本考案は、上記の問題点を解決するために成されたものであり、歯磨きを行った後で舌苔を取る際において、用具の交換および保管に煩わしさの全くない、舌苔除去具付き歯ブラシを提供することを目的とする。
【課題を解決するための手段】
【０００８】  上記問題点を解決するため本考案の舌苔除去具付き歯ブラシにおいては、舌の表面と当接して舌苔を掻き取るための円錐形突起と円筒形突起を、一定の割合で円錐形突起，円筒形突起，円錐形突起の順に配列して形成すると共に、前記配列の上端部に舌苔を除去するためのスキージ部を形成した舌苔除去具を、歯ブラシ上部のブラシを植毛した台座部の背面または歯ブラシ下部の柄部の側面の何れか一箇所に具備して構成する。【０００９】  上記円錐形突起，円筒形突起，円錐形突起およびスキージ部を配列した側面両端部に、該側面から見て前記配列がほぼ隠れるような凸型帯形状のガード部を形成する。【００１０】  上記舌苔除去具を構成する円錐形突起と円筒形突起およびスキージ部はエラストマ樹脂にて形成し、ガード部は前記エラストマ樹脂と一体的に成型またはブラシを植毛した台座部と一体的に成型する。
【考案の効果】
【００１１】  本考案の舌苔除去具付き歯ブラシを使用すれば、通常の歯磨きを行った後で舌苔を取る際において、当該歯ブラシを裏返してブラシを植毛した台座部の背面に具備した舌苔除去具または当該歯ブラシを上下逆にして柄部の側面に具備した舌苔除去具にて舌苔を取ることができるため用具の交換をする必要がなく、舌苔除去具が歯ブラシに具備されているため別々に保管をする必要もなく、煩わしさが全くなく便利に使用できるという絶大なる効果を奏する。
【考案を実施するための最良の形態】
【００１２】  本考案を実施するための最良の形態を図を用いて説明する。図１は本考案の舌苔除去具付き歯ブラシの一実施例の外形図であり、（ａ）は舌苔除去具の正面図，（ｂ）は側面図である。【００１３】  本考案の舌苔除去具付き歯ブラシは、舌の表面と当接して舌苔を掻き取るための円錐形突起５ａ，５ｂと円筒形突起６を、一定の割合で上部より円錐形突起５ａ，円筒形突起６，円錐形突起５ｂの順に配列して形成すると共に、前記配列の上端部に舌苔を除去するためのスキージ部７を形成した舌苔除去具４を、歯ブラシ１上部のブラシ３を植毛した台座部２の背面または歯ブラシ１下部の柄部１１の側面の何れか一箇所に具備して構成する。該図では、舌苔除去具４を歯ブラシ１上部のブラシ３を植毛した台座部２の背面に具備した状態を示しているが、歯ブラシ１下部の柄部１１の側面（図１の点線Ｃ）に具備する場合は、前記舌苔除去具４の形状は当該柄部１１の形状に合わせて形成する。また、前記スキージ部７の三日月状の凸部側は、円錐形突起５ａ，５ｂと円筒形突起６の配列側に向けて形成する。【００１４】  図２は図１におけるＡ−Ａ断面側面図であり、歯ブラシ１上部のブラシ３を植毛した台座部２の背面に、円錐形突起５ａ，５ｂと円筒形突起６およびスキージ部６を配列して構成した舌苔除去具４が固着されている状態を示している。該固着方法は、接着や溶着など何れの方法であっても構わない。【００１５】  図３はスキージ部の各種配置状態を示した図であり、（ａ）は１本配置、（ｂ）は３本配置の状態を示している。図１ではスキージ部７が２本配置の状態を示しており、このように１本乃至数本の配置とするのが好適である。なお、上記円錐形突起５ａ，円筒形突起６，円錐形突起５ｂの配列形状や本数は、スキージ部７の配置本数や形状に合わせて適宜設定して構わない。【００１６】  図４はスキージ部の各種平面形状を示した図であり、（ａ）は半月状、（ｂ）は略円形状に近い形状を示している。図１ではスキージ部７は三日月状を示しており、このように三日月状乃至略円形状に近い形状とするのが好適である。また、（ｃ）はスキージ部７の形状を円形としたものであるが、これは（ｂ）の派生形状であり、この場合の配置状態は図３の（ｃ）のようになる。【００１７】  図５はスキージ部の各種断面形状を示した図である。（ａ）は舌の表面と当接する前部傾斜部８の後方に直線状になだらかな傾斜を有する後部傾斜部９を形成した形状を示している。（ｂ）は舌の表面と当接する前部傾斜部８の後方に丸みを帯びた凸部を形成し、その後方を（ａ）よりさらになだらかな傾斜を有する後部傾斜部９を形成した形状を示している。また、（ｃ）は図４の（ｃ）の断面形状を示し、舌の表面と当接する前部傾斜部８がスキージ部７の全周に形成されている。該前部傾斜部８は、舌に対して抗力を持たないように僅かに傾斜を持たせているが、その角度は特に限定するものではない。【００１８】  また、上記円錐形突起５ａ，円筒形突起６，円錐形突起５ｂおよびスキージ部７を配列した側面両端部に、該側面から見て前記配列がほぼ隠れるような凸型帯形状のガード部１０を形成する。該ガード部１０は、図１のＢ−Ｂ方向にブラシ３を動かして歯磨きを行う際にお���て、特に円筒形突起６とスキージ部７が口腔内に当接して粘膜を傷つけるのを防止するためのものである。【００１９】  なお、上記舌苔除去具４を構成する円錐形突起５ａ，５ｂと円筒形突起６およびスキージ部７はエラストマ樹脂にて形成し、ガード部１０は前記エラストマ樹脂と一体的に成型またはブラシ３を植毛した台座部２と一体的に成型する。前記エラストマ樹脂としては、例えば合成ゴム，ポリイソブチレン，ポリエチレン，ポリエステルなどが好適であるが、特に限定するものではない。【００２０】  また、上記舌苔除去具４を構成する円錐形突起５ａ，５ｂと円筒形突起６の直径は約０．５〜２ｍｍで長さは約２〜３ｍｍ程度とし、各円錐形突起５ａ，５ｂと円筒形突起６との間隔は約０．５〜２ｍｍ程度とし、さらにスキージ部７の高さは約１〜３ｍｍ程度とする。なお、前記円錐形突起５ａ，５ｂと円筒形突起６の配列形状は、図示した形状に限定せず任意で構わない。また、前記円筒形突起６において、その付け根部分を先端面より僅かに太くして形成すると型より容易に抜くことができて好適となる。【００２１】  図６は本考案の舌苔除去具付き歯ブラシの舌苔除去具で舌苔除去を行っている状態図である。歯磨きを行った後で舌苔を取る場合、当該歯ブラシ１を裏返して舌苔除去具４を舌１２の表面に当てて手前に動かす。このとき、舌苔除去具４に形成された円錐形突起５ａ，５ｂの円錐部が滑らかに舌１２に当接し、円筒形突起６の円筒角部が確実に舌１２に当接して圧迫感を与えることなく舌１２の表面に付着している舌苔を確実に掻き取ることができ、スキージ部７で前記掻き取った舌苔を除去することができる。
【図面の簡単な説明】
【００２２】
【図１】本考案の舌苔除去具付き歯ブラシの一実施例の外形図である。
【図２】図１におけるＡ−Ａ断面側面図である。
【図３】スキージ部の各種配置状態を示した図である。
【図４】スキージ部の各種平面形状を示した図である。
【図５】スキージ部の各種断面形状を示した図である。
【図６】本考案の舌苔除去具付き歯ブラシの舌苔除去具で舌苔除去を行っている状態図である。
【符号の説明】
【００２３】    １  歯ブラシ
２  台座部
３  ブラシ
４  舌苔除去具
５ａ  円錐形突起
５ｂ  円錐形突起
６  円筒形突起
７  スキージ部
８  前部傾斜部
９  後部傾斜部
１０  ガード部
１１  柄部
１２  舌
【図１】
0003182902.tif 000003
【図２】
0003182902.tif 000004
【図３】
0003182902.tif 000005
【図４】
0003182902.tif 000006
【図５】
0003182902.tif 000007
【図６】
0003182902.tif 000008
【手続補正書】
【提出日】平成25年2月15日(2013.2.15)
【手続補正１】
【補正対象書類名】実用新案登録請求の範囲
【補正対象項目名】請求項１
【補正方法】変更
【補正の内容】
【請求項１】
舌の表面と当接して舌苔を掻き取るための円筒形突起または円筒形突起と円錐形突起またはスキージ部と円錐形突起または前記を組み合わせ、各々を一定の割合で配列して形成した舌苔除去具を、歯ブラシ上部のブラシを植毛した台座部の背面または歯ブラシ下部の柄部の側面の何れか一箇所に具備して構成することを特徴とした、舌苔除去具付き歯ブラシ。
【手続補正２】
【補正対象書類名】実用新案登録請求の範囲
【補正対象項目名】請求項２
【補正方法】変更
【補正の内容】
【請求項２】
円筒形突起と円錐形突起およびスキージ部を配列した側面両端部に、凸型帯形状のガード部を形成することを特徴とした、請求項１に記載の舌苔除去具付き歯ブラシ。
【手続補正３】
【補正対象書類名】明細書
【補正対象項目名】０００８
【補正方法】変更
【補正の内容】
【０００８】  上記問題点を解決するため本考案の舌苔除去具付き歯ブラシにおいては、舌の表面と当接して舌苔を掻き取るための円筒形突起または円筒形突起と円錐形突起またはスキージ部と円錐形突起または前記を組み合わせ、各々を一定の割合で配列して形成した舌苔除去具を、歯ブラシ上部のブラシを植毛した台座部の背面または歯ブラシ下部の柄部の側面の何れか一箇所に具備して構成する。
【手続補正４】
【補正対象書類名】明細書
【補正対象項目名】０００９
【補正方法】変更
【補正の内容】
【０００９】  上記円筒形突起と円錐形突起およびスキージ部を配列した側面両端部に、凸型帯形状のガード部を形成する。
【手続補正５】
【補正対象書類名】明細書
【補正対象項目名】００１３
【補正方法】変更
【補正の内容】
【００１３】  該図にあっては、舌の表面と当接して舌苔を掻き取るための円錐形突起５ａ，５ｂと円筒形突起６を、一定の割合で上部より円錐形突起５ａ，円筒形突起６，円錐形突起５ｂの順に配列して形成すると共に、前記配列の上端部に舌苔を除去するためのスキージ部７を形成した舌苔除去具４を、歯ブラシ１上部のブラシ３を植毛した台座部２の背面または歯ブラシ１下部の柄部１１の側面の何れか一箇所に具備して構成する。該図では、舌苔除去具４を歯ブラシ１上部のブラシ３を植毛した台座部２の背面に具備した状態を示しているが、歯ブラシ１下部の柄部１１の側面（図１の点線Ｃ）に具備する場合は、前記舌苔除去具４の形状は当該柄部１１の形状に合わせて形成する。なお、柄部１１の形状は多様にあるため、ここで言う側面とは外周を取り巻く全ての面を指すものである。また、前記スキージ部７の三日月状の凸部側は、円錐形突起５ａ，５ｂと円筒形突起６の配列側に向けて形成する。
【手続補正６】
【補正対象書類名】明細書
【補正対象項目名】００１４
【補正方法】変更
【補正の内容】
【００１４】  図２は図１におけるＡ−Ａ断面側面図であり、歯ブラシ１上部のブラシ３を植毛した台座部２の背面に、円錐形突起５ａ，５ｂと円筒形突起６およびスキージ部７を配列して構成した舌苔除去具４が固着されている状態を示している。該固着方法は、接着や溶着など何れの方法であっても構わない。なお、円筒形突起６は、図示したような円柱状の他に内部が空洞となったチューブ状の何れの形状であっても構わない。
【手続補正７】
【補正対象書類名】明細書
【補正対象項目名】００１５
【補正方法】変更
【補正の内容】
【００１５】  図３はスキージ部の各種配置状態を示した図であり、（ａ）は１本配置、（ｂ）は３本配置の状態を示している。図１ではスキージ部７が２本配置の状態を示しており、このように１本乃至数本の配置とするのが好適である。なお、上記円錐形突起５ａ，円筒形突起６，円錐形突起５ｂの配列形状や本数は、スキージ部７の配置本数や形状に合わせて適宜設定して構わない。また、図７は本考案の舌苔除去具付き歯ブラシの舌苔除去具の他の実施例図であり、（ａ）は円形状のスキージ部７と当該スキージ部７の前方に円錐形突起５を配列して形成し、（ｂ）は円筒形突起６と当該円筒形突起６の前方に円錐形突起５を配列して形成したものである。該形状は、歯ブラシの台座部２が小さい場合等において好適な配列である。なお、（ｂ）においては円錐形突起５を円筒形突起６に替え、全てを円筒形突起６にしても構わない。
【手続補正８】
【補正対象書類名】明細書
【補正対象項目名】００１８
【補正方法】変更
【補正の内容】
【００１８】  また、上記円錐形突起５ａ，円筒形突起６，円錐形突起５ｂおよびスキージ部７を配列した側面両端部に、凸型帯形状のガード部１０を形成する。該ガード部１０は、図１のＢ−Ｂ方向にブラシ３を動かして歯磨きを行う際において、特に円筒形突起６とスキージ部７が口腔内に当接して粘膜を傷つけるのを防止するためのものである。
【手続補正９】
【補正対象書類名】明細書
【補正対象項目名】００２０
【補正方法】変更
【補正の内容】
【００２０】  また、上記舌苔除去具４を構成する円錐形突起５ａ，５ｂと円筒形突起６の直径は約１〜３ｍｍで長さは約１〜３ｍｍ程度とし、各円錐形突起５ａ，５ｂと円筒形突起６との間隔は約１〜３ｍｍ程度とし、さらにスキージ部７の高さは約１〜３ｍｍ程度とする。なお、前記円錐形突起５ａ，５ｂと円筒形突起６の配列形状は、図示した形状に限定せず任意で構わない。
【手続補正１０】
【補正対象書類名】明細書
【補正対象項目名】００２２
【補正方法】変更
【補正の内容】
【００２２】
【図１】本考案の舌苔除去具付き歯ブラシの一実施例の外形図である。
【図２】図１におけるＡ−Ａ断面側面図である。
【図３】スキージ部の各種配置状態を示した図である。
【図４】スキージ部の各種平面形状を示した図である。
【図５】スキージ部の各種断面形状を示した図である。
【図６】本考案の舌苔除去具付き歯ブラシの舌苔除去具で舌苔除去を行っている状態図である。
【図７】本考案の舌苔除去具付き歯ブラシの舌苔除去具の他の実施例図である。
【手続補正１２】
【補正対象書類名】図面
【補正対象項目名】図７
【補正方法】追加
【補正の内容】
【図７】
0003182902.tif 000009